(57)【要約】  本発明に係る基地局（ＢＳ）からユーザ装置（ＵＥ）へチャネル状態情報参照信号（ＣＳＩ−ＲＳ）を送信する方法は、前記ＢＳにおいて、非周期的ＣＳＩ−ＲＳ送信に使用されるＣＳＩ−ＲＳリソースを確保する工程と、前記ＣＳＩ−ＲＳリソースを示すリザベーション情報を上位レイヤシグナリングを介して前記ＢＳから前記ＵＥへ送信する工程と、前記ＣＳＩ−ＲＳリソースを使って、前記非周期的ＣＳＩ−ＲＳを前記ＢＳから前記ＵＥへ送信する工程と、を具備する。
2018528734.tif 000002
【特許請求の範囲】
【請求項１】
基地局（ＢＳ）からユーザ装置（ＵＥ）へチャネル状態情報参照信号（ＣＳＩ−ＲＳ）を送信する方法であって、
前記ＢＳにおいて、非周期的ＣＳＩ−ＲＳ送信に使用されるＣＳＩ−ＲＳリソースを確保する工程と、
前記ＢＳから前記ＵＥへ、上位レイヤシグナリングを介して、前記ＣＳＩ−ＲＳリソースを示すリザベーション情報を送信する工程と、
前記ＢＳから前記ＵＥへ、前記ＣＳＩ−ＲＳリソースを使って、前記非周期的ＣＳＩ−ＲＳを送信する工程と、
を具備する方法。
【請求項２】
前記確保する工程は、前記ＣＳＩ−ＲＳリソースを所定の周期で確保し、
前記リザベーション情報は前記所定の周期を示し、
前記非周期的ＣＳＩ−ＲＳを送信する工程は、前記非周期的ＣＳＩ−ＲＳを前記所定の周期で送信する、請求項１記載の方法。
【請求項３】
前記所定の周期は、１ｍｓ又は２ｍｓである請求項２記載の方法。
【請求項４】
前記ＵＥにおいて、前記リザベーション情報に基づいて前記サブフレームから前記ＣＳＩ−ＲＳリソースを検出する工程と、
前記ＵＥにおいて、検出された前記ＣＳＩ−ＲＳリソースで前記非周期的ＣＳＩ−ＲＳを受信する工程と、
をさらに具備する請求項１記載の方法。
【請求項５】
前記ＵＥにおいて、前記所定の周期で前記サブフレームから前記ＣＳＩ−ＲＳリソースを検出する工程と、
前記ＵＥにおいて、検出された前記ＣＳＩ−ＲＳリソースで前記非周期的ＣＳＩ−ＲＳを受信する工程と、
をさらに具備する請求項２記載の方法。
【請求項６】
前記ＵＥにおいて、前記ＣＳＩ−ＲＳリソースが各サブフレームで確保されていると想定する工程と、
前記ＵＥにおいて、想定された前記ＣＳＩ−ＲＳリソースに基づいて非周期的ＣＳＩ−ＲＳを受信する工程と、
をさらに具備する請求項１記載の方法。
【請求項７】
前記ＢＳから前記ＵＥへ、前記ＣＳＩ−ＲＳリソースが前記非周期的ＣＳＩ−ＲＳを含むか否かを示すプレゼンス情報を送信する工程をさらに具備する請求項１記載の方法。
【請求項８】
前記プレゼンス情報が、前記ＣＳＩ−ＲＳリソースが前記非周期的ＣＳＩ−ＲＳを含むことを示す場合に、前記ＵＥにおいて、前記ＣＳＩ−ＲＳリソースで前記非周期的ＣＳＩ−ＲＳを受信する工程をさらに具備する請求項７記載の方法。
【請求項９】
前記プレゼンス情報が、前記ＣＳＩ−ＲＳリソースに含まれる前記非周期的ＣＳＩ−ＲＳの送信タイミングをさらに示し、
前記送信タイミングで前記非周期的ＣＳＩ−ＲＳを送信する、請求項７記載の方法。
【請求項１０】
前記受信する工程は、前記送信タイミングで前記ＣＳＩ−ＲＳリソースの前記非周期的ＣＳＩ−ＲＳを受信する請求項９記載の方法。
【請求項１１】
前記プレゼンス情報は、物理下りリンク制御チャネル（ＰＤＣＣＨ）または拡張ＰＤＣＣＨ（ｅＰＤＣＣＨ）を介して送信される請求項７記載の方法。
【請求項１２】
前記リサベーション情報がＣＳＩプロセスに含まれる請求項１記載の方法。
【請求項１３】
ＣＳＩ−ＲＳが非周期的ＣＳＩ−ＲＳであることを示す非周期的ＣＳＩ−ＲＳパラメータが、無線リソースコントロール（ＲＲＣ）シグナリングを介して前記ＵＥから前記ＢＳへ送信される請求項１記載の方法。
【請求項１４】
前記ＣＳＩ−ＲＳリソースは、物理下りリンク共有チャネル（ＰＤＳＣＨ）に多重化されない請求項１記載の方法。
【請求項１５】
ＣＳＩリクエストを前記ＢＳから前記ＵＥへ送信する工程をさらに具備し、前記ＣＳＩリクエストが送信されるときに前記非周期的ＣＳＩ−ＲＳがトリガされる請求項１記載の方法。
【請求項１６】
前記ＵＥが前記ＣＳＩリクエストを受信したときから所定時間が経過した後に、非周期的ＣＳＩ−ＲＳに基づいて非周期的ＣＳＩフィードバック情報を前記ＵＥから前記ＢＳへ送信する工程をさらに具備する請求項１５記載の方法。
【請求項１７】
前記ＢＳにおいて、ＣＳＩ−ＲＳのリソースエレメント（ＲＥ）へのマッピングを規定する所定のテーブルに基づいて、非周期的ＣＳＩ−ＲＳを１つ以上のＲＥにマッピングする工程と、
リソースブロック（ＲＢ）におけるマッピングされたＲＥの位置を示すＣＳＩ−ＲＳリソース情報を前記ＢＳから前記ＵＥへ上位レイヤシグナリングを介して送信する工程と、をさらに具備し、
前記非周期的ＣＳＩ−ＲＳを送信する工程は、前記非周期的ＣＳＩ−ＲＳをマッピングされた前記ＲＥを使って送信し、
前記非周期的ＣＳＩ−ＲＳを受信する工程は、前記ＣＳＩ−ＲＳリソース情報に基づくマッピングされた前記ＲＥの位置に基づいて前記非周期的ＣＳＩ−ＲＳを受信する請求項１記載の方法。
【請求項１８】
基地局（ＢＳ）から送信されるサブフレームにおいて非周期的チャネル状態情報参照信号（ＣＳＩ−ＲＳ）の送信に用いられるＣＳＩ−ＲＳリソースを確保する制御部と、
前記ＣＳＩ−ＲＳリソースを示すリサベーション情報を上位レイヤシグナリングを介してユーザ装置（ＵＥ）に送信し、前記非周期的ＣＳＩ−ＲＳを前記ＣＳＩ−ＲＳリソースを用いて前記ＵＥに送信する送信部と、
を具備する基地局（ＢＳ）。
【請求項１９】
下りリンクサブフレームにおいて非周期的チャネル状態情報参照信号（ＣＳＩ−ＲＳ）の送信に用いられるＣＳＩ−ＲＳリソースを示すリザベーション情報を基地局（ＢＳ）から受信し、前記ＣＳＩ−ＲＳリソースを用いて非周期的ＣＳＩ−ＲＳを前記ＢＳから受信する受信部を具備するユーザ装置（ＵＥ）。
【請求項２０】
基地局（ＢＳ）からチャネル状態情報参照信号（ＣＳＩ−ＲＳ）を受信する受信部と、
前記ＣＳＩ−ＲＳに基づいてＣＳＩ推定を実行する制御部と、を具備し、
前記制御部は、前記ＣＳＩ−ＲＳのそれぞれが異なるサブフレームで送信される場合には、ＣＳＩ推定の結果の平均化を実行しない、ユーザ装置（ＵＥ）。
【発明の詳細な説明】
【技術分野】
【０００１】
本発明は、一般に無線通信に関し、より具体的には、非周期的なチャネル状態情報参照信号（ＣＳＩ−ＲＳ）の送信方式に関する。
【背景技術】
【０００２】
従来のＬＴＥ（Ｌｏｎｇ  Ｔｅｒｍ  Ｅｖｏｌｕｔｉｏｎ）システム（例えば、ＬＴＥリリース１０、１１及び１２）では、チャネル状態情報信号（ＣＳＩ−ＲＳ）が周期的に送信される。図１は、ＬＴＥのリリース１２及び１３のサブフレーム構成をそれぞれ示す図である。図１に示すように、ＬＴＥリリース１２では、ＣＳＩ−ＲＳが周期的に送信される（例えば、５ｍｓ（ミリ秒）送信周期）。一方、ＬＴＥリリース１３では、ＣＳＩ−ＲＳは、非周期的に送信され得る（非周期的ＣＳＩ−ＲＳ）。例えば、ユーザ装置（ＵＥ）は基地局（ＢＳ）から非周期的ＣＳＩ−ＲＳを受信するが、基地局からのサブフレームにおける非周期的ＣＳＩ−ＲＳ送信に使用されるＣＳＩ−ＲＳリソースをＵＥが識別する必要がある。
【０００３】
しかし、従来のＬＴＥ標準は、非周期的ＣＳＩ−ＲＳ送信のためのＣＳＩ−ＲＳリソースを確保する方法、及びＢＳとＵＥとの間で非周期的ＣＳＩ−ＲＳを送受信する方法をサポートしていない。その結果、ＢＳから送信されたサブフレーム内の非周期的ＣＳＩ−ＲＳのＣＳＩ−ＲＳリソースが特定できない可能性がある。
【先行技術文献】
【非特許文献】
【０００４】
【非特許文献１】３ＧＰＰ，ＴＳ  ３６．２１１  Ｖ１２．６．０
【非特許文献２】３ＧＰＰ，ＴＳ  ３６．２１３  Ｖ１２．５．０
【発明の概要】
【課題を解決するための手段】
【０００５】
本発明の１つ以上の実施形態における基地局（ＢＳ）からユーザ装置（ＵＥ）へチャネル状態情報参照信号（ＣＳＩ−ＲＳ）を送信する方法は、前記ＢＳにおいて、非周期的ＣＳＩ−ＲＳ送信に使用されるＣＳＩ−ＲＳリソースを確保する工程と、前記ＢＳから前記ＵＥへ、上位レイヤシグナリングを介して、前記ＣＳＩ−ＲＳリソースを示すリザベーション情報を送信する工程と、前記ＢＳから前記ＵＥへ、前記ＣＳＩ−ＲＳリソースを使って、前記非周期的ＣＳＩ−ＲＳを送信する工程と、を具備するものである。
【０００６】
本発明の１つ以上の実施形態における基地局（ＢＳ）は、ＢＳから送信されるサブフレームにおいて非周期的チャネル状態情報参照信号（ＣＳＩ−ＲＳ）の送信に用いられるＣＳＩ−ＲＳリソースを確保する制御部と、前記ＣＳＩ−ＲＳリソースを示すリサベーション情報を上位レイヤシグナリングを介してユーザ装置（ＵＥ）に送信し、前記非周期的ＣＳＩ−ＲＳを前記ＣＳＩ−ＲＳリソースを用いて前記ＵＥに送信する送信部と、を具備するものである。
【０００７】
本発明の１つ以上の実施形態におけるユーザ装置（ＵＥ）は、下りリンクサブフレームにおいて非周期的チャネル状態情報参照信号（ＣＳＩ−ＲＳ）の送信に用いられるＣＳＩ−ＲＳリソースを示すリザベーション情報を基地局（ＢＳ）から受信し、前記ＣＳＩ−ＲＳリソースを用いて非周期的ＣＳＩ−ＲＳを前記ＢＳから受信する受信部を具備するものである。
【０００８】
本発明の１つ以上の実施形態におけるユーザ装置（ＵＥ）は、基地局（ＢＳ）からチャネル状態情報参照信号（ＣＳＩ−ＲＳ）を受信する受信部と、前記ＣＳＩ−ＲＳに基づいてＣＳＩ推定を実行する制御部と、を具備する。前記制御部は、前記ＣＳＩ−ＲＳのそれぞれが異なるサブフレームで送信される場合には、ＣＳＩ推定の結果の平均化を実行しないものである。
【０００９】
本発明の１つ以上の実施形態において、前記非周期的ＣＳＩ−ＲＳの送信が適切に実行され得る。
【図面の簡単な説明】
【００１０】
【図１】ＬＴＥ  Ｒｅｌｅａｓｅ１２における（周期的な）ＣＳＩ−ＲＳ送信のためのサブフレーム及びＲｅｌｅａｓｅ１３における非周期的ＣＳＩ−ＲＳ送信のためのサブフレームを示す図である。
【図２】本発明の１つ以上の実施形態に係る無線通信システムの構成を示す図である。
【図３】本発明の１つ以上の実施形態に係るＣＳＩ−ＲＳサブフレーム構成を示す図である。
【図４】本発明の第１実施例の１つ以上の実施形態に係る非周期的ＣＳＩ−ＲＳ送信の動作例を示すシーケンス図である。
【図５Ａ】本発明の第１実施例の１つ以上の実施形態に係る非周期的ＣＳＩ−ＲＳ送信のための確保されたＣＳＩ−ＲＳリソースを示す図である。
【図５Ｂ】本発明の第１実施例の１つ以上の実施形態に係る非周期的ＣＳＩ−ＲＳ送信のための確保されたＣＳＩ−ＲＳリソースを示す図である。
【図５Ｃ】本発明の第１実施例の１つ以上の実施形態に係る非周期的ＣＳＩ−ＲＳ送信のための確保されたＣＳＩ−ＲＳリソースを示す図である。
【図５Ｄ】本発明の第１実施例の１つ以上の実施形態に係る非周期的ＣＳＩ−ＲＳ送信のための確保されたＣＳＩ−ＲＳリソースを示す図である。
【図６】本発明の変形された第１実施例の１つ以上の実施形態に係る非周期的ＣＳＩ−ＲＳ送信の動作例を示すシーケンス図である。
【図７】本発明の第２実施例の１つ以上の実施形態に係る非周期的ＣＳＩ−ＲＳ送信の動作例を示すシーケンス図である。
【図８】本発明の第２実施例の１つ以上の実施形態に係るＣＳＩ−ＲＳサブフレーム構成を示す図である。
【図９Ａ】本発明の第３実施例の１つ以上の実施形態に係る通常サイクリックプレフィックスのためのＣＳＩ−ＲＳ構成からＲＥへのマッピングを示す図である。
【図９Ｂ】本発明の第３実施例の１つ以上の実施形態に係る通常サイクリックプレフィックスのためのＣＳＩ−ＲＳ構成からＲＥへのマッピングを示す図である。
【図９Ｃ】本発明の第３実施例の１つ以上の実施形態に係る拡張サイクリックプレフィックスのためのＣＳＩ−ＲＳ構成からＲＥへのマッピングを示す図である。
【図１０】本発明の第４実施例の１つ以上の実施形態に係る非周期的ＣＳＩ−ＲＳ送信を示すシーケンス図である。
【図１１】本発明の第５実施例の１つ以上の実施形態に係るＣＳＩ−ＲＳ構成及びＣＳＩ−ＲＳサブフレーム構成を示す図である。
【図１２】本発明の修正された第５実施例の１つ以上の実施形態に係るＣＳＩ−ＲＳ構成及びＣＳＩ−ＲＳサブフレーム構成を示す図である。
【図１３Ａ】本発明の第６実施例の１つ以上の実施形態に係るＣＳＩ−ＲＳ送信を示す図である。
【図１３Ｂ】本発明の第６実施例の１つ以上の実施形態に係るＣＳＩ−ＲＳサブフレーム構成を示す図である。
【図１４】本発明の第７実施例の１つ以上の実施形態に係る非周期的ＣＳＩ−ＲＳ送信を示す図である。
【図１５】本発明の１つ以上の実施形態に係る基地局の構成を示すブロック図である。
【図１６】本発明の１つ以上の実施形態に係るＵＥの構成を示すブロック図である。
【発明を実施するための形態】
【００１１】
以下、本発明の実施の形態について、図面を参照して詳細に説明する。本発明の実施形態では、本発明のより完全な理解を提供するために、多くの具体的な詳細が記載されている。しかしながら、当業者には、これらの特定の詳細なしに本発明を実施することができることは明らかであろう。他の例では、本発明を不明瞭にすることを避けるために、周知の特徴を詳細には説明していない。
【００１２】
（システム構成）
以下、図２を参照して、本発明の一実施形態に係る無線通信システム１について説明する。
図２に示すように、無線通信システム１は、複数のユーザ装置ＵＥ１０（ＵＥ１０Ａ及びＵＥ１０Ｂ）と、基地局ＢＳ２０とを備える。無線通信システム１は、ＬＴＥ／ＬＴＥ−Ａｄｖａｎｃｅｄ（ＬＴＥ−Ａ）システム、Ｎｅｗ  Ｒａｄｉｏ（ＮＲ）、または他のシステムであってもよい。無線通信システム１は、本明細書で説明する特定の構成に限定されず、任意のタイプの無線通信システムであってもよい。
【００１３】
ＢＳ２０は、上りリンク（ＵＬ）信号及び下りリンク（ＤＬ）信号をＵＥ１０と通信することができる。ＢＳ２０は、Ｅｖｏｌｖｅｄ  ＮｏｄｅＢ（ｅＮＢ）であってもよい。ＢＳ２０は、アクセスゲートウェイ装置を介してコアネットワークに接続された上位ノードやサーバなどのネットワーク機器からＤＬ信号を受信し、そのＤＬ信号をＵＥ１０に送信する。ＢＳ２０は、ＵＥ１０から上りパケットを受信し、ＵＬ信号をネットワーク機器に送信する。
【００１４】
ＢＳ２０は、ＵＥ１０との間で無線信号を送信するためのアンテナ（例えば、２Ｄ又は３Ｄ  ＭＩＭＯアンテナ）と、隣接するＢＳ２０と通信するための通信インターフェイス（例えば、Ｘ２インタフェース）と、コアネットワークと通信するための通信インターフェイス（例えば、Ｓ１インタフェース）と、ＵＥ１０と間の送受信信号を処理するプロセッサや回路等のＣＰＵ（Ｃｅｎｔｒａｌ  Ｐｒｏｃｅｓｓｉｎｇ  Ｕｎｉｔ）とを備えている。以下に説明するＢＳ２０の機能および処理は、メモリに格納されたデータおよびプログラムを処理または実行するプロセッサによって実現されてもよい。しかしながら、ＢＳ２０は、上述したハードウェア構成に限定されず、任意の適切なハードウェア構成を含むことができる。一般に、無線通信システム１のより広いサービスエリアをカバーするように、複数のＢＳ２０が配置されている。
【００１５】
ＢＳ２０は、チャネル状態情報参照信号（ＣＳＩ−ＲＳ）をＵＥ１０に送信することができる。ＢＳ２０は、ＣＳＩ−ＲＳを非周期的に送信してもよい（非周期的ＣＳＩ−ＲＳ）。ＢＳ２０は、図３に示すようなテーブルに基づいてＣＳＩ−ＲＳ送信周期（５、１０、２０、４０又は８０ｍｓ（ミリ秒）の周期）で（周期的）ＣＳＩ−ＲＳを送信してもよい。図３のテーブル（ＣＳＩ−ＲＳサブフレーム構成）は、３ＧＰＰ  ＴＳ  ３６．２１１のテーブル６．１０．５．３−１に定義されている。
【００１６】
ＵＥ１０は、基地局２０とＵＥ１０との間でデータ信号や制御信号などの無線信号を送受信することができる。ＵＥ１０は、移動局、スマートフォン、携帯電話、タブレット、モバイルルータ、ウェアラブル機器などの無線通信機能を有する情報処理装置であってもよい。無線通信システム１は、１つ以上のＵＥ１０を含むことができる。
【００１７】
ＵＥ１０は、プロセッサ等のＣＰＵ、ＲＡＭ（Ｒａｎｄｏｍ  Ａｃｃｅｓｓ  Ｍｅｍｏｒｙ）、フラッシュメモリ及び無線通信装置を備え、ＢＳ２０及びＵＥ１０との間で無線信号の送受信を行う。例えば、後述するＵＥ１０の機能や処理は、メモリに格納されたデータやプログラムのＣＰＵによる処理や実行によって実現されてもよい。しかしＵＥ１０は、上述したハードウェア構成に限定されるものではなく、例えば、以下の処理を実現する回路によって構成されてもよい。
【００１８】
（第１の実施例）
本発明の第１の実施例の１つ以上の実施形態によれば、ＢＳ２０は、非周期的ＣＳＩ−ＲＳ送信のためにＣＳＩ−ＲＳリソースを確保し、確保されたＣＳＩ−ＲＳリソースを使用して非周期的ＣＳＩ−ＲＳを送信することができる。本発明の１つ以上の実施形態において、ＣＳＩ−ＲＳリソースは、ＢＳ２０から送信されたサブフレームにおけるＣＳＩ−ＲＳ送信に使用されるリソースであってもよい。
【００１９】
図４は、本発明の第１の実施例の１つ以上の実施形態による非周期的ＣＳＩ−ＲＳ送信を示すシーケンス図である。図４に示すように、ＢＳ２０は、ＢＳ２０から送信されるサブフレームにおける非周期的ＣＳＩ−ＲＳ送信に使用されるＣＳＩ−ＲＳリソースを確保する（ステップＳ１１）。非周期的ＣＳＩ−ＲＳ送信のために確保されたＣＳＩ−ＲＳリソースの例を、図５Ａ〜図５Ｄを参照して説明する。
【００２０】
図５Ａ〜図５Ｃに示すように、非周期的ＣＳＩ−ＲＳ送信のためのＣＳＩ−ＲＳリソースは、所定の周期で確保されてもよい。図５Ａの例に示すように、非周期的ＣＳＩ−ＲＳ送信のためのＣＳＩ−ＲＳリソースは、１ｍｓ周期で確保されてもよい。すなわち、所定の周期が１ｍｓ周期である場合、非周期的ＣＳＩ−ＲＳ送信のためのＣＳＩ−ＲＳリソースは、ＢＳ２０から送信される全てのサブフレームに確保されてもよい。図５Ｂの例に示すように、非周期的ＣＳＩ−ＲＳ送信のためのＣＳＩ−ＲＳリソースは、２ｍｓ周期で確保されてもよい。図５Ｃの例に示すように、非周期的ＣＳＩ−ＲＳ送信のためのＣＳＩ−ＲＳリソースは、５ｍｓ周期で確保されてもよい。本発明の１つ以上の実施形態において、所定の周期は１、２及び５ｍｓの周期に限定されず、３、１０、２０ｍｓ周期のような所定の値であってもよい。図５Ｄに示すように、非周期的ＣＳＩ−ＲＳ送信のためのＣＳＩ−ＲＳリソースは、サブフレーム内でランダムに確保されてもよい。
【００２１】
図４に戻り、ＢＳ２０は、ＲＲＣシグナリングのような上位レイヤシグナリングを介して、確保されたＣＳＩ−ＲＳリソースを示すリザベーション情報をＵＥ１０に送信する（ステップＳ１２）。例えば、ＣＳＩ−ＲＳリソースが所定の周期で確保されている場合、リザベーション情報は所定の周期を示してもよい。例えば、リザベーション情報はＣＳＩプロセスに含まれてもよい。
【００２２】
ＢＳ２０は、確保されたＣＳＩ−ＲＳリソースを用いて非周期的ＣＳＩ−ＲＳをＵＥ１０に送信する（ステップＳ１３）。
【００２３】
ＵＥ１０は、受信したリザベーション情報に基づいて、ＢＳ２０から送信されたサブフレームからＣＳＩ−ＲＳリソースを検出することができる。そして、検出されたＣＳＩ−ＲＳリソースが非周期的ＣＳＩ−ＲＳを含む場合、ＵＥ１０は、検出されたＣＳＩ−ＲＳリソースで非周期的ＣＳＩ−ＲＳを受信する（ステップＳ１４）。さらに、例えば、リザベーション情報が所定の周期を含む場合、ＵＥ１０は、所定の周期でサブフレームからＣＳＩ−ＲＳリソースを検出できる。
【００２４】
ＵＥ１０は、非周期的ＣＳＩ−ＲＳの受信に基づいてＣＳＩフィードバック情報を送信することができる（ステップＳ１５）。ＣＳＩフィードバック情報は、ランクインジケータ（ＲＩ）、プリコーディング行列インデックス（ＰＭＩ）、チャネル品質情報（ＣＱＩ）およびＣＳＩ−ＲＳリソースインジケータ（ＣＲＩ）などの既存のＣＳＩを含むことができる。別の実装として、ＣＳＩは新たに定義されてもよい。その結果、ＢＳ２０とＵＥ１０との間で、非周期的ＣＳＩ−ＲＳ送信を適切に行うことができる。
【００２５】
（第１の実施例の変形例）
本発明の第１の実施例の変形例の１つ以上の実施形態では、リザベーション情報に所定の周期が含まれていない場合、ステップＳ１４において、ＵＥ１０は、ＣＳＩ−ＲＳリソースが１ｍｓ周期で確保されていると想定してもよい。すなわち、ＢＳ２０から送信された各サブフレームがＣＳＩ−ＲＳリソースを含むと想定してもよい。ＵＥ１０は、想定されたＣＳＩ−ＲＳリソースに基づいて非周期的ＣＳＩ−ＲＳを受信してもよい。
【００２６】
本発明の第１の実施例の１つ以上の実施形態において、ＢＳ２０は、確保されたＣＳＩ−ＲＳリソースを使用して非周期的ＣＳＩ−ＲＳを送信してもよい。しかしながら、例えば、ＣＳＩ−ＲＳリソースが所定の周期で又はランダムに確保されていても、ＢＳ２０は所定の継続時間において非周期的ＣＳＩ−ＲＳを送信しなくてもよい。このような場合、確保されたＣＳＩ−ＲＳリソースに、その所定の継続時間においては、非周期的ＣＳＩ−ＲＳが含まれなくてもよい。本発明の第１の実施例の変形例の１つ以上の実施形態では、ＢＳ２０は、ＣＳＩ−ＲＳリソースが非周期的ＣＳＩ−ＲＳを含むか否かを示すプレゼンス情報を送信してもよい。図６は、本発明の第１の実施例の変形例の１つ以上の実施形態による非周期的ＣＳＩ−ＲＳ送信の動作例を示すシーケンス図である。図６において、図４におけるステップと同様のステップには同じ参照符号が付されている。
【００２７】
図６に示すようにステップＳ１２ａにおいて、ＢＳ２０はプレゼンス情報をＵＥ１０に送信してもよい。プレゼンス情報は、確保されたＣＳＩ−ＲＳリソースが非周期的ＣＳＩ−ＲＳを含むかどうかを示してもよい。さらに、プレゼンス情報は、ＣＳＩ−ＲＳリソースに含まれる非周期的ＣＳＩ−ＲＳの送信タイミングをさらに示すことができる。例えば、プレゼンス情報は、物理下りリンク制御チャネル（ＰＤＣＣＨ）または拡張ＰＤＣＣＨ（ｅＰＤＣＣＨ）を介して送信されてもよい。従って、プレゼンス情報は下りリンク制御情報（ＤＣＩ）フォーマットに含まれてもよい。さらに、例えば、プレゼンス情報はＲＲＣシグナリングなどの上位レイヤシグナリングのうちの少なくとも１つを介して送信されてもよい。
【００２８】
図６において、ＵＥ１０はＰＤＣＣＨ又はｅＰＤＣＣＨ（プレゼンス情報）をモニターしてもよい。プレゼンス情報が、ＣＳＩ−ＲＳリソースに非周期的ＣＳＩ−ＲＳが含まれていることを示す場合、ステップＳ１４ａにおいてＵＥ１０は、非周期的ＣＳＩ−ＲＳの受信動作を実行して、ＣＳＩ−ＲＳリソース内の非周期的ＣＳＩ−ＲＳを受信してもよい。例えば、プレゼンス情報が送信タイミングを示す場合、ＵＥ１０はその送信タイミングでＣＳＩ−ＲＳリソース内の非周期的ＣＳＩ−ＲＳを受信してもよい。従って、ＵＥ１０は、サブフレーム内のＣＳＩ−ＲＳリソースが非周期的ＣＳＩ−ＲＳを含むかどうかを識別することができる。
【００２９】
他の例として、本発明の第１の実施例の変形例の１つ以上の実施形態では、ＢＳ２０は、ＣＳＩ−ＲＳが周期的なＣＳＩ−ＲＳではなく非周期的ＣＳＩ−ＲＳであることを示す非周期的ＣＳＩ−ＲＳパラメータを、ＲＲＣシグナリングを介して送信することができる。
【００３０】
他の例として、本発明の第１の実施例の変形例の１つ以上の実施形態では、ＣＳＩ−ＲＳリソースは、物理下りリンク共有チャネル（ＰＤＳＣＨ）上に多重されなくてもよい。例えば、ＰＤＳＣＨミューティングは、１ｍｓ又は２ｍｓ周期で実行されてもよい。すなわち、ミューティングサブフレーム構成であるデューティサイクル／サブフレームオフセットは、送信周期が１つ又は２つのサブフレームであるサブフレームを含むことができる。
【００３１】
他の例として、本発明の第１の実施例の変形例の１つ以上の実施形態では、ＢＳ２０は、ＣＳＩリクエストをＵＥ１０に送信することができる。非周期的ＣＳＩ−ＲＳは、ＣＳＩリクエストが送信されるときにトリガされてもよい。さらに、ＵＥ１０は、ＣＳＩリクエストを受信してから所定時間が経過した後、非周期的ＣＳＩ−ＲＳに基づいて非周期的ＣＳＩフィードバック情報を送信してもよい。
【００３２】
（第２の実施例）
本発明の第２の実施例の１つ以上の実施形態では、図７に示すように、ＢＳ２０は、３ＧＰＰ  ＴＳ  ３６．２１１の変更されたテーブル６．１０．５．３−１（変更されたサブフレーム構成テーブル）に基づいて、非周期的ＣＳＩ−ＲＳ送信のためのＣＳＩ−ＲＳリソースを確保することができる（ステップＳ２１）。図７のステップＳ２２〜Ｓ２５は、図４のステップＳ１２〜Ｓ１５に対応する。
【００３３】
図８は、第２の実施例の１つ以上の実施形態による変更されたサブフレーム構成テーブルを示す。図８に示す変更されたサブフレーム構成テーブルでは、３ＧＰＰ  ＴＳ３６．２１１のテーブル６．１０．５．３−１に定義されている図３の従来のテーブルに、ＣＳＩ−ＲＳ−ＳｕｂｆｒａｍｅＣｏｎｆｉｇ  ＩＣＳＩ−ＲＳ（ＣＳＩ−ＲＳサブフレーム構成）のインデックス１５５、１５６及び１５７が追加されてもよい。例えば、ＣＳＩ−ＲＳ−ＳｕｂｆｒａｍｅＣｏｎｆｉｇ  ＩＣＳＩ−ＲＳ「１５５」は、ＣＳＩ−ＲＳ送信周期１ｍｓ及びＣＳＩ−ＲＳサブフレームオフセット「ＩＣＳＩ−ＲＳ−１」に関連づけられ、ＣＳＩ−ＲＳ−ＳｕｂｆｒａｍｅＣｏｎｆｉｇ  ＩＣＳＩ−ＲＳ「１５６」及び「１５７」は、ＣＳＩ−ＲＳ送信周期２ｍｓ及びＣＳＩ−ＲＳサブフレームオフセット「ＩＣＳＩ−ＲＳ−２」に関連づけられてもよい。すなわち、ＣＳＩ−ＲＳサブフレームリソースを高密度に確保する変更されたサブフレーム構成テーブルは、ＣＳＩ−ＲＳサブフレーム送信の機会を増加させることができる。その結果、例えば、非周期的ＣＳＩ−ＲＳ送信において、ＢＳ２０がＣＳＩ−ＲＳ−ＳｕｂｆｒａｍｅＣｏｎｆｉｇ  ＩＣＳＩ−ＲＳ「１５５」を指定してＣＳＩ−ＲＳ−ＳｕｂｆｒａｍｅＣｏｎｆｉｇ  ＩＣＳＩ−ＲＳ「１５５」をＵＥ１０に送信すると、ＵＥ１０は、ＣＳＩ−ＲＳ送信周期が１ｍｓ周期であると想定できるので、ＢＳ２０から送信されたサブフレームに非周期的なＣＳＩ−ＲＳを含むＣＳＩ−ＲＳリソースを特定することができる。変更されたサブフレーム構成テーブルは、ＣＳＩ−ＲＳサブフレーム送信機会を相対的に増加させるように、インデックス（行）の一部を含まないテーブル６．１０．５．３−１であってもよい。変更されたサブフレーム構成テーブルは、レガシーの周期的なＣＳＩ−ＲＳにも適用することができる。
【００３４】
（第３の実施例）
ＢＳ２０は、非周期的ＣＳＩ−ＲＳを送信する場合、ＣＳＩ−ＲＳリソースが含まれるサブフレーム内のリソースブロック（ＲＢ）の少なくとも一部のリソースエレメント（ＲＥ）のどこにＣＳＩ−ＲＳがマッピングされるかを、図９Ａ及び図９Ｂ、又は図９Ｃに示されるテーブル６．１０．５．２−１又は６．１０．５．２−２で定義される従来のテーブル（ＣＳＩ−ＲＳ構成）に基づいて、決定してもよい。すなわち、１つまたは複数の実施形態による非周期的ＣＳＩ−ＲＳ送信では、ＢＳ２０は、図９Ａ及び図９Ｂ、又は図９ＣのＣＳＩ−ＲＳ構成のインデックスの１つをＵＥ１０に送信して、ＣＳＩ−ＲＳアンテナポートに割り当てられた２０対のＲＥのうちのどれが使用されるかを通知してもよい。
【００３５】
さらに、ＢＳ２０は、ＲＲＣシグナリングのような上位レイヤシグナリングを介して、図９Ａ及び図９Ｂ、又は図９Ｃに示されているＣＳＩ−ＲＳ構成のインデックスの１つを送信してもよい。ＣＳＩ−ＲＳ構成のインデックスの１つは、ＣＳＩ−ＲＳがＣＳＩ−ＲＳサブフレーム内のＲＢ内のＲＥの少なくとも一部にマッピングされる場所を示すマッピング情報であってもよい。
【００３６】
（第４の実施例）
次に、本発明の第４の実施例の実施形態について説明する。第４の実施例の１つ以上の実施形態によれば、ＢＳ２０は、非周期的なＣＳＩ−ＲＳリソースを動的に指定（決定）することができる。
【００３７】
図１０は、第４の実施例の１以上の実施形態による非周期的ＣＳＩ−ＲＳ送信を示すシーケンス図である。図１０に示すように、ＢＳ２０は、ＤＣＩなどの下位レイヤシグナリングを介して非周期的ＣＳＩ−ＲＳ  ＩＤを送信する（ステップＳ３１）。非周期的ＣＳＩ−ＲＳ  ＩＤは、ＵＥ１０によって受信されるべき非周期的ＣＳＩ−ＲＳを示す識別情報である。
【００３８】
ＵＥ１０は、非周期的ＣＳＩ−ＲＳ  ＩＤをメモリに記憶する（ステップＳ３２）。ＢＳ２０は、非周期的ＣＳＩ−ＲＳ  ＩＤを含む非周期的ＣＳＩ−ＲＳを送信する（ステップＳ３３）。
【００３９】
ＵＥ１０は、受信された非周期的ＣＳＩ−ＲＳ  ＩＤが、記憶されている非周期的ＣＳＩ−ＲＳ  ＩＤと同一であるか否かを判定する（ステップＳ３４）。例えば、ＵＥ１０は、ＲＲＣで設定された非周期的ＣＳＩ−ＲＳ  ＩＤと動的にシグナリングされた非周期的ＣＳＩ−ＲＳ  ＩＤとを比較する。
【００４０】
比較の結果、一致した場合、ＵＥ１０は、非周期的ＣＳＩ−ＲＳを受信し、その後、ＣＳＩフィードバック情報をＢＳ２０に送信する（ステップＳ３５）。一方、比較の結果、一致しない場合、ＵＥ１０は非周期的ＣＳＩ−ＲＳを受信しない。
【００４１】
本発明の第４の実施例の変形例の１つ以上の実施形態によれば、ＢＳ２０は、ＵＥ１０が非周期的ＣＳＩ−ＲＳを受信すべきか否かに関して、ＤＣＩを介してＵＥ１０に通知してもよい。
【００４２】
第４の実施例の変形例の１つ以上の実施形態によれば、ＢＳ２０は、ＤＣＩなどの下位レイヤシグナリングを介して、ＢＳ２０から送信されるサブフレームを受信すべきユーザ装置をサブフレーム毎に示すＵＥ固有ＩＤ（ＵＥ−ｓｐｅｃｉｆｉｃ  ＩＤ）を送信してもよい。
【００４３】
第４の実施例の変形例の１つ以上の実施形態によれば、下位レイヤシグナリングは、ＣＳＩ−ＲＳに割り当てられた各ＲＥに対して使用されてもよい。例えば、３つのＲＥペア（例えば、図１の左上の同じパターンにおいて、一つのＲＥペアが「０」、「１」と示されている）がＣＳＩ−ＲＳに割り当てられている場合、ＢＳ２０は、ＲＥの各ペアについて「１１０」のようなビットマップとして示される情報を送信する。例えば、この情報のインデックス「１」および「０」はそれぞれ、非周期的ＣＳＩ−ＲＳ送信の「有」及び「無」を示す。
【００４４】
第４の実施例の変形例の１つ以上の実施形態によれば、ＢＳ２０は、ＵＥ固有のサーチスペース（ＵＥ−ｓｐｅｃｉｆｉｃ  Ｓｅａｒｃｈ  Ｓｐａｃｅ）又は共通サーチスペース（Ｃｏｍｍｏｎ  Ｓｅａｒｃｈ  Ｓｐａｃｅ）を使用して、非周期的ＣＳＩ−ＲＳ  ＩＤ及び／又はＵＥ固有ＩＤを送信してもよい。
【００４５】
本発明の第４の実施例の変形例の１つ以上の実施形態によれば、ＵＥ１０は、非周期的ＣＳＩ−ＲＳ送信情報に基づいて、ＰＤＳＣＨの送信ＲＥを推定してもよい。例えば、ＵＥ１０は、ＣＳＩ−ＲＳ送信情報に基づいてレートマッチング（ｒａｔｅ  ｍａｔｃｈｉｎｇ）を行うことができる。
【００４６】
（第５の実施例）
第５の実施例の１つ以上の実施形態によれば、図１１に示すように、ＢＳ２０が複数の非周期的ＣＳＩ−ＲＳ（例えば、＃１〜２０）を送信する場合、ＢＳ２０はそれぞれの非周期的ＣＳＩ−ＲＳに対してＣＳＩ−ＲＳ構成及びＣＳＩ−ＲＳサブフレーム構成（ＣＳＩ−ＲＳ−ＳｕｂｆｒａｍｅＣｏｎｆｉｇ）を決定してもよい。例えば、ＢＳ２０は、非周期的ＣＳＩ−ＲＳ＃１に対してＣＳＩ−ＲＳ構成インデックス「０」及びＣＳＩ−ＲＳサブフレーム構成インデックス「０」を決定する。ＢＳ２０は、非周期的ＣＳＩ−ＲＳ＃２に対してＣＳＩ−ＲＳ構成インデックス「１」及びＣＳＩ−ＲＳサブフレーム構成インデックス「１」を決定する。
【００４７】
（第５の実施例の変形例）
第５の実施例の変形例の１つ以上の実施形態によれば、図１２に示すように、ＢＳ２０が時間多重された複数の非周期的ＣＳＩ−ＲＳ（例えば、＃１〜２０）を送信する場合に、ＢＳ２０はそれぞれの非周期的ＣＳＩ−ＲＳに対するＣＳＩ−ＲＳ構成及びＣＳＩ−ＲＳサブフレーム構成（ＣＳＩ−ＲＳ−ＳｕｂｆｒａｍｅＣｏｎｆｉｇ）として、共通のＣＳＩ−ＲＳ構成及びＣＳＩ−ＲＳサブフレーム構成を決定してもよい。例えば、ＢＳ２０は、非周期的ＣＳＩ−ＲＳ＃１に対してＣＳＩ−ＲＳ構成インデックス「１」及びＣＳＩ−ＲＳサブフレーム構成インデックス「１５５」を決定する。ＢＳ２０は、非周期的ＣＳＩ−ＲＳ＃２に対してＣＳＩ−ＲＳ構成インデックス「１」及びＣＳＩ−ＲＳサブフレーム構成インデックス「１５５」を決定してもよい。これにより、ＣＳＩ−ＲＳリソースの消費を低減することができる。
【００４８】
本発明の第５の実施例の変形例の１つ以上の実施形態によれば、ＢＳ２０が複数の非周期的ＣＳＩ−ＲＳを送信する場合に、ＢＳ２０はそれぞれの非周期的ＣＳＩ−ＲＳに対するＣＳＩ−ＲＳサブフレーム構成（ＣＳＩ−ＲＳ−ＳｕｂｆｒａｍｅＣｏｎｆｉｇ）として、共通のＣＳＩ−ＲＳサブフレーム構成を決定してもよい。ＢＳ２０は、ＲＢ内の複数の非周期的ＣＳＩ−ＲＳそれぞれに対して、異なるＣＳＩ−ＲＳサブフレーム構成を決定してもよい。すなわち、ＢＳ２０は、ＣＳＩ−ＲＳサブフレームにおいて、複数の非周期的ＣＳＩ−ＲＳがＲＢ内のＲＥにマッピングされる位置を決定することができる。このことにより、ＣＳＩ−ＲＳリソースの消費を低減することができる。
【００４９】
第５の実施例の変形例の１つ以上の実施形態によれば、非周期的ＣＳＩ−ＲＳの構成は、ＲＲＣ情報（例えば、ＣＳＩ−Ｐｒｏｃｅｓｓ、ＣＳＩ−ＲＳ−Ｃｏｎｆｉｇ、ＣＳＩ−ＲＳ−ＣｏｎｆｉｇＮＺＰ、ＣＳＩ−ＲＳ−ＣｏｎｆｉｇＺＰ、又はＣＳＩ−ＲＳ−ＩｄｅｎｔｉｔｙＮＺＰ）などの従来の上位レイヤシグナリングを使用してもよい。
【００５０】
（第６の実施例）
本発明の第６の実施例の実施形態について、図１３Ａ及び図１３Ｂを参照して説明する。本発明の第６の実施例の１つ以上の実施形態によれば、各ＣＳＩ−ＲＳがＢＳ２０から異なるサブフレームで送信される場合、ＵＥ１０はＣＳＩの推定結果を平均化する動作を許容されなくてもよい。図１３Ａに示すように、ＢＳ２０が複数のＣＳＩ−ＲＳを送信する場合、複数のＣＳＩ−ＲＳにそれぞれ異なるプリコーダが乗算されてもよい。例えば、異なるサブフレームにおけるＣＳＩ−ＲＳ推定の結果を平均化してはならない。すなわち、ＣＳＩ計算にはトリガされた下りリンクサブフレームのみが用いられてもよい。
【００５１】
図１３Ｂに示すように、同じＵＥ１０（図１３のＵＥ１０Ｂ）に送信されたＣＳＩ−ＲＳは、同じビームによって乗算されてもよい。この場合、サブフレーム間の平均化を許容すると、ＣＳＩ推定の精度が向上し得る。
【００５２】
例えば、ＣＳＩリクエストを受信するトリガされたサブフレームにおける平均化は、場合によっては許可されてもよい。言い換えると、ＵＥ１０は、同じプリコーダが複数のサブフレームに対して乗算されると想定してもよい。したがって、サブフレームでの平均化を許可するインジケータが送信されてもよい。一例として、ＵＥ１０が前のサブフレームとの平均化を想定してもよいか否かを示すシグナリングがある。それは、ＣＳＩ−ＲＳトリガフィールド内の同じビットによって指定されてもよい。別の例として、平均化の適用可能性は、上位レイヤシグナリングによって判定することができる。例えば、割り当てられたＣＳＩ−ＲＳが平均化を想定できるかどうかを示すインジケータを有することが可能である。別の例として、ＵＥ１０は、すべての非周期的ＣＳＩ−ＲＳが、異なるサブフレームにおいて平均化を行うことが許可されていないと想定してもよい。さらに、ＣＳＩ−ＲＳトリガフィールド内の異なるビットによって指定されたサブフレームにおける平均化は許可されなくてもよい。さらに、ＮＺＰ  ＣＳＩ−ＲＳのＣＳＩプロセス及びＲＲＣシグナリングが再構成される場合、平均化が初期化されてもよい。
【００５３】
（第７の実施例）
本発明の第７の実施例の実施形態について、以下に説明する。１つ以上の実施形態によれば、図１４に示すように、ＵＥ１０Ａがセル間を移動する場合、同じＵＥ１０のＣＳＩ−ＲＳであっても、適用されるビームは変更され得る。そのような場合にサブフレーム間の平均化をすると、正確なＣＳＩは得られない可能性がある。
【００５４】
したがって、例えばＢＳ２０は、適用されるプリコーダの変更を示すシグナリングを動的に送信してもよい（ＵＥ１０が平均化を行うことができるか否かにかかわらず）。さらに、ＢＳ２０は、乗算されるプリコーダが前のサブフレーム又は前のトリガするサブフレームに適用された乗算されるプリコーダと同じであるかどうかを示すシグナリングを送信することができる。
【００５５】
別の例として、動的シグナリングを使用する代わりに、リセットのタイミング（例えば、１００ｍｓ）を規定してもよい。例えば、予め定められた各ＴＴＩにおいて、平均化を許容しないタイミングが設けられてもよい。さらに、継続時間及びタイミングオフセットは、上位レイヤによって設定されてもよいし、固定値として定義されてもよい。
【００５６】
これらの想定は、ＰＵＳＣＨ及びＰＵＣＣＨに対するＣＳＩフィードバックにおいて異なってもよい。例えば、ＰＵＣＣＨベースのフィードバックは、ＤＣＩトリガを有さないので、平均化の想定なしで導出されてもよい。一方、ＰＵＳＣＨベースのフィードバックは、場合によっては平均化を想定してもよい。
【００５７】
別の例として、さらなる拡張セル間干渉協調（Ｆｕｒｔｈｅｒ  ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ：ＦｅＩＣＩＣ）又は、拡張ＤＬ−ＵＬ干渉管理及びトラフィック適応（ｅｎｈａｎｃｅｍｅｎｔ  ｆｏｒ  ＤＬ−ＵＬ  Ｉｎｔｅｒｆｅｒｅｎｃｅ  Ｍａｎａｇｅｍｅｎｔ  ａｎｄ  Ｔｒａｆｆｉｃ  Ａｄａｐｔａｔｉｏｎ：ｅＩＭＴＡ）を想定して、複数のサブフレームセットが設定されてもよい。同じＵＥ１０のＣＳＩ−ＲＳでは、異なるサブフレームセットにおける平均化は許されるべきではない。例えば、サブフレームセットが同じ場合には、平均化が可能である。一方、サブフレームセットが異なる場合、平均化は許可されなくてもよい。例えば、平均化のための想定は、サブフレームセットごとにシグナリングされる。例えば、平均化のための想定は、サブフレームセットに対して共通にシグナリングされる。
【００５８】
別の例として、ＣＳＩ−ＲＳは、システム帯域全体で単一のビームフォーミングを適用してもよい。そのような場合、ＵＥは、同じプリコーダがシステム全体で乗算されると想定することができる。
【００５９】
別の例として、ＣＳＩ−ＲＳは、特定の周波数単位によって異なるビームフォーミングを適用してもよい。この場合、複数の周波数ブロックに渡る平均化は適切ではないことがある。例えば、所定の周波数ブロック内におけるＣＳＩ−ＲＳの推定結果の平均化は許容されてもよい。言い換えれば、ＣＳＩは、同じプリコーダが乗算されることを仮定して計算されてもよい。さらに、周波数ブロックは、現在定義されているサブバンドと同じであってもよい。例えば、周波数ブロックは、現在定義されているプリコーディングリソースブロックグループ（ＰＲＧ）と同じであってもよい。
【００６０】
この概念（時間／周波数領域における平均化の適用）は、干渉測定に対しても考えることができる。ＵＥの想定及び／又はシグナリングは、干渉測定に導入することができる。
【００６１】
（基地局の構成）
以下、図１５を参照して、本発明の１つ以上の実施形態に係るＢＳ２０について説明する。
【００６２】
図１５に示すように、ＢＳ２０は、アンテナ２１と、ＲＦ（Ｒａｄｉｏ  Ｆｒｅｑｕｅｎｃｙ）回路２２と、ＣＳＩ−ＲＳスケジューラ２３と、ＣＳＩ−ＲＳ生成部２４と、プリコーダ２５と、マルチプレクサ２６と、を具備してもよい。ＲＦ回路２２は、送信部（ＴＸＲＵ）２２１と受信部２２２とを含む。
【００６３】
アンテナ２１は、２Ｄアンテナ（平面アンテナ）や、円柱状に配置されたアンテナや立方体状に配置されたアンテナなどの３Ｄアンテナなどの複数のアンテナ素子を含む多次元アンテナから構成されていてもよい。アンテナ２１は、１つ以上のアンテナ素子を有するアンテナポートを含む。各アンテナポートから送信されるビームは、ＵＥ１０と３Ｄ  ＭＩＭＯ通信を行うように制御される。
【００６４】
アンテナ２１は、リニアアレイアンテナに比べてアンテナ素子の数を容易に増加させることができる。多数のアンテナ素子を使用するＭＩＭＯ伝送は、システム性能をさらに改善することが期待される。例えば、３Ｄビームフォーミングによって、アンテナ数の増加に応じて高いビームフォーミング利得も期待される。さらに、ＭＩＭＯ伝送は、例えばビームのヌルポイント制御による干渉低減の点でも有利であり、マルチユーザＭＩＭＯにおけるユーザ間の干渉低減などの効果が期待できる。
【００６５】
ＲＦ回路２２は、アンテナ２１への入力信号を生成し、アンテナ２１からの出力信号の受信処理を行う。
【００６６】
ＲＦ回路２２に含まれる送信部２２１は、アンテナ２１を介してＵＥ１０にデータ信号（例えば、参照信号やプリコーディングされたデータ信号）を送信する。送信部２２１は、（周期的）ＣＳＩ−ＲＳ及び非周期的ＣＳＩ−ＲＳを送信することができる。
【００６７】
ＲＦ回路２２に含まれる受信部２２２は、アンテナ２１を介してＵＥ１０からのデータ信号（例えば、参照信号やＣＳＩフィードバック情報）を受信する。
【００６８】
ＣＳＩ−ＲＳスケジューラ２３は、サブフレームにおけるＣＳＩ−ＲＳ送信のためのＣＳＩ−ＲＳリソースを確保する。例えば、ＣＳＩ−ＲＳスケジューラ２３は、サブフレーム内の非周期的ＣＳＩ−ＲＳ送信のためのＣＳＩ−ＲＳリソースを決定する。
【００６９】
ＣＳＩ−ＲＳ生成部２４は、下りリンクチャネル状態を推定するためのＣＳＩ−ＲＳを生成する。ＣＳＩ−ＲＳ生成部２４は、ＣＳＩ−ＲＳに加えて、専用参照信号（ＤＲＳ）及びセル固有参照信号（ＣＲＳ）等のＬＴＥ規格で定義される参照信号、プライマリ同期信号（ＰＳＳ）及びセカンダリ同期信号（ＳＳＳ）等の同期信号、及び新たに定義される信号を生成することができる。
【００７０】
プリコーダ２５は、下りデータ信号および下り参照信号に適用されるプリコーダを決定する。プリコーダは、プリコーディングベクトル又はより一般的にはプリコーディング行列と呼ばれる。プリコーダ２５は、推定された下りリンクのチャネル状態を示すＣＳＩと、入力された復号されたＣＳＩフィードバック情報とに基づいて、下りリンクのプリコーディングベクトル（プリコーディング行列）を決定する。
【００７１】
マルチプレクサ２６は、ＲＥにＣＳＩ−ＲＳを多重化する。
【００７２】
送信される参照信号は、セル固有またはＵＥ固有であってもよい。例えば、参照信号は、ＰＤＳＣＨなどのＵＥ固有の信号に多重化されてもよく、参照信号はプリコードされてもよい。ここで、ＵＥ１０へ参照信号の送信ランクを通知することにより、チャネル状態の推定が、チャネル状態に応じた適切なランクで実現され得る。
【００７３】
（ユーザ装置の構成）
以下、図１６を参照して、本発明の１つ以上の実施形態に係るＵＥ１０について説明する。
【００７４】
図１６に示すように、ＵＥ１０は、ＢＳ２０と通信するためのＵＥアンテナ１１と、ＲＦ回路１２と、デマルチプレクサ１３と、チャネル推定部１４と、ＣＳＩフィードバック制御部１５と、ＣＳＩ−ＲＳ制御部１６と、を具備してもよい。ＲＦ回路１２は、送信部１２１と受信部１２２とを含む。
【００７５】
ＲＦ回路１２に含まれる送信部１２１は、ＵＥアンテナ１１を介してＢＳ２０にデータ信号（例えば、参照信号やＣＳＩフィードバック情報）を送信する。
【００７６】
ＲＦ回路１２に含まれる受信部１２２は、ＵＥアンテナ１１を介してＢＳ２０からデータ信号（例えば、ＣＳＩ−ＲＳなどの参照信号）を受信する。
【００７７】
デマルチプレクサ１３は、ＢＳ２０から受信した信号からＰＤＣＣＨ信号を分離する。
【００７８】
チャネル推定部１４は、ＢＳ２０から送信されたＣＳＩ−ＲＳに基づいて下りチャネル状態を推定し、ＣＳＩフィードバック制御部１５に出力する。
【００７９】
ＣＳＩフィードバック制御部１５は、下りリンクチャネル状態を推定するための参照信号を用いて推定された下りリンクチャネル状態に基づいてＣＳＩフィードバック情報を生成する。ＣＳＩフィードバック制御部１５は、生成したＣＳＩフィードバック情報を送信部１２１に出力し、送信部１２１は、ＣＳＩフィードバック情報をＢＳ２０に送信する。ＣＳＩフィードバック情報は、ランクインジケータ（ＲＩ）、ＰＭＩ、ＣＱＩ、ＢＩなどのうちの少なくとも１つを含む。
【００８０】
（その他の例）
本開示は、ＬＴＥ／ＬＴＥ−Ａに基づくチャネル及びシグナリング方式の例を中心に説明したが、本発明はこれに限定されない。本発明の１つ以上の実施形態は、ＬＴＥ／ＬＴＥ−Ａ、Ｎｅｗ  Ｒａｄｉｏ（ＮＲ）、及び新たに定義されるチャネルおよびシグナリング方式と同じ機能を有する別のチャネルおよびシグナリング方式に適用することができる。
【００８１】
以上の実施例および変形例は、互いに組み合わせることが可能であり、これらの実施例の各種特徴を様々な組み合わせで組み合わせることが可能である。本発明は、本明細書に開示される特定の組み合わせに限定されない。
【００８２】
本開示は限定された数の実施形態に関してのみ記載されたが、本開示の利益を有する当業者は、本発明の範囲から逸脱することなく様々な他の実施形態が考案され得ることを理解するであろう。したがって、本発明の範囲は、添付の特許請求の範囲によってのみ限定されるべきである。
【符号の説明】
【００８３】
１  無線通信システム
１０  ユーザ機器（ＵＥ）
１１  ＵＥアンテナ
１２  ＲＦ回路
１２１  送信部
１２２  受信部
１３  デマルチプレクサ
１４  チャネル推定部
１５  ＣＳＩフィードバック制御部
１６  ＣＳＩ−ＲＳ制御部
２０  基地局（ＢＳ）
２１  アンテナ
２２  ＲＦ回路
２２１  送信部
２２２  受信部
２３  ＣＳＩ−ＲＳスケジューラ
２４  ＣＳＩ−ＲＳ生成部
２５  プリコーダ
２６  マルチプレクサ
【図１】
2018528734.tif 000003
【図２】
2018528734.tif 000004
【図３】
2018528734.tif 000005
【図４】
2018528734.tif 000006
【図５Ａ】
2018528734.tif 000007
【図５Ｂ】
2018528734.tif 000008
【図５Ｃ】
2018528734.tif 000009
【図５Ｄ】
2018528734.tif 000010
【図６】
2018528734.tif 000011
【図７】
2018528734.tif 000012
【図８】
2018528734.tif 000013
【図９Ａ】
2018528734.tif 000014
【図９Ｂ】
2018528734.tif 000015
【図９Ｃ】
2018528734.tif 000016
【図１０】
2018528734.tif 000017
【図１１】
2018528734.tif 000018
【図１２】
2018528734.tif 000019
【図１３Ａ】
2018528734.tif 000020
【図１３Ｂ】
2018528734.tif 000021
【図１４】
2018528734.tif 000022
【図１５】
2018528734.tif 000023
【図１６】
2018528734.tif 000024
【国際調査報告】
2018528734.tif 000025
2018528734.tif 000026
2018528734.tif 000027
2018528734.tif 000028